(57)【要約】 【課題】  眼鏡フレームが変形することを考慮したＰＤを取得することができるレンズメータ及び眼鏡測定装置を提供する。【解決手段】  レンズの光学特性を測定する測定光学系と、測定結果を表示するディスプレイと、を備えるレンズメータであって、眼鏡フレームを保持する保持手段であって、眼鏡フレームの左右のテンプルの少なくとも一方に当接し、左右のテンプルの少なくとも一方のテンプルの位置を移動させることによって、左右のテンプルの間の幅を変更させる保持手段と、保持手段によって保持された眼鏡フレームのＰＤを測定するためのＰＤ測定手段と、を備える。【選択図】      図１
2018009942.tif 000002
【特許請求の範囲】
【請求項１】
レンズの光学特性を測定する測定光学系と、
測定結果を表示するディスプレイと、
を備えるレンズメータであって、
眼鏡フレームを保持する保持手段であって、前記眼鏡フレームの左右のテンプルの少なくとも一方に当接し、前記左右のテンプルの少なくとも一方のテンプルの位置を移動させることによって、前記左右のテンプルの間の幅を変更させる保持手段と、
前記保持手段によって保持された眼鏡フレームのＰＤを測定するためのＰＤ測定手段と、
を備えることを特徴とするレンズメータ。
【請求項２】
請求項１のレンズメータにおいて、
前記保持手段は、前記左右のテンプルのそれぞれの少なくとも一部に当接する左右の当接部と、
前記左右の当接部の少なくともいずれか一方の当接部の位置を移動させる当接部移動手段と、
を備えることを特徴とするレンズメータ。
【請求項３】
請求項１のレンズメータにおいて、  
前記保持手段は、前記左右のテンプルのそれぞれの少なくとも一部に当接する左右の当接部であって、左右の当接部間の距離が所定の距離で設定された左右の当接部を備えることを特徴とするレンズメータ。
【請求項４】
請求項２のレンズメータにおいて、
さらに、眼鏡フレームを装用する被検者の頭幅情報を取得する取得手段を備え、
前記当接部移動手段は、前記取得手段によって取得された頭幅情報に基づいて、前記左右の当接部の少なくともいずれか一方の当接部を左右方向に移動させることを特徴とするレンズメータ。
【請求項５】
請求項２〜４のいずれかのレンズメータにおいて、
前記当接部は、眼鏡フレームの前記左右のテンプルの耳かけ部分と当接するように配置されることを特徴とする眼鏡枠形状測定装置。
【請求項６】
請求項１〜５のいずれかのレンズメータにおいて、
前記ＰＤ測定手段は、眼鏡フレームに取り付けられた左レンズ及び右レンズのレンズ面上に付された印点の左右方向の位置を検者が目視で読み取るためのスケールを前記ディスプレイの画面に表示させることを特徴とするレンズメータ。
【請求項７】
請求項１〜６のいずれかのレンズメータにおいて、
前記ディスプレイは、前記ディスプレイの表示画面の縦方向の長さが、前記ディスプレイの表示画面の横方向の長さよりも長い形状で構成されているディスプレイであることを特徴とするレンズメータ。
【請求項８】
ディスプレイを備え、眼鏡フレームのＰＤを測定する眼鏡測定装置であって、
眼鏡フレームを保持する保持手段であって、前記眼鏡フレームの左右のテンプルの少なくとも一方に当接し、前記左右のテンプルの少なくとも一方のテンプルの位置を移動させることによって、前記左右のテンプルの間の幅を変更させる保持手段と、
眼鏡フレームのＰＤを測定するためのスケールを前記ディスプレイの画面に表示させるＰＤ測定手段と、
を備えることを特徴とする眼鏡測定装置。
【発明の詳細な説明】
【技術分野】
【０００１】
本開示は、レンズの光学特性を測定するレンズメータ及び眼鏡フレームの光学中心間距離（ＰＤ）を測定する眼鏡測定装置に関する。
【背景技術】
【０００２】
測定光束をレンズに投光し、レンズを透過した測定光束を受光素子で受光してレンズの屈折度数等の光学特性を測定する測定光学系を有するレンズメータが知られている。このようなレンズメータでは、眼鏡フレームの左右のリム（レンズ枠）に取り付けられた左レンズの光学中心と右レンズの光学中心とのＰＤを測定するためのＰＤ測定機構（ＰＤ測定手段）を備えているものがある。例えば、左レンズ及び右レンズのレンズ面上に付された印点の左右方向の位置を検者が目視で読み取るためのスケールをディスプレイの画面に表示させて、スケールを読み取ることによって、ＰＤを測定している（例えば、特許文献１参照）。
【先行技術文献】
【特許文献】
【０００３】
【特許文献１】特開２０１３−１３４２４０号公報
【発明の概要】
【発明が解決しようとする課題】
【０００４】
装用者が眼鏡（眼鏡フレーム）を装用する際には、装用者は眼鏡フレームのテンプル部分を広げて顔に装着する。装用者に眼鏡フレームが装着された状態下では、眼鏡フレームのテンプル部分は、装用者の頭部を把持することになり、その反力によって、眼鏡フレーム自身が変形をしてしまう。これによって、眼鏡フレームは、装用者に装用された状態における形状と、装用者への装用前の形状と、で異なる形状となってしまう。
【０００５】
しかしながら、従来、眼鏡フレームのＰＤは、眼鏡フレームが装用されていない状態下で測定が行なわれているため、眼鏡フレームが変形することが考慮されていない眼鏡フレームのＰＤが取得されていた。このため、このＰＤを用いて眼鏡レンズの加工等を行い眼鏡を製作した場合に、実際に装用者が眼鏡を装用すると、良好でない等の問題があった。
【０００６】
本開示は、上記従来技術に鑑み、眼鏡フレームが変形することを考慮したＰＤを取得することができるレンズメータ及び眼鏡測定装置を提供することを技術課題とする。
【課題を解決するための手段】
【０００７】
上記課題を解決するために、本開示は以下のような構成を備えることを特徴とする。
【０００８】
（１）  本開示の第１態様に係るレンズメータは、レンズの光学特性を測定する測定光学系と、測定結果を表示するディスプレイと、を備えるレンズメータであって、眼鏡フレームを保持する保持手段であって、前記眼鏡フレームの左右のテンプルの少なくとも一方に当接し、前記左右のテンプルの少なくとも一方のテンプルの位置を移動させることによって、前記左右のテンプルの間の幅を変更させる保持手段と、前記保持手段によって保持された眼鏡フレームのＰＤを測定するためのＰＤ測定手段と、を備えることを特徴とする。
（２）  本開示の第２態様に係る眼鏡測定装置は、ディスプレイを備え、眼鏡フレームのＰＤを測定する眼鏡測定装置であって、眼鏡フレームを保持する保持手段であって、前記眼鏡フレームの左右のテンプルの少なくとも一方に当接し、前記左右のテンプルの少なくとも一方のテンプルの位置を移動させることによって、前記左右のテンプルの間の幅を変更させる保持手段と、眼鏡フレームのＰＤを測定するためのスケールを前記ディスプレイの画面に表示させるＰＤ測定手段と、を備えることを特徴とする。
【図面の簡単な説明】
【０００９】
【図１】本実施例に係るレンズメータの外観略図である。
【図２】眼鏡フレームＦをリムＦＲＬ及びＦＲＲの上端側からみた図である。
【図３】テンプル調整ユニットの概略構成図である。
【図４】テンプル調整ユニットの動作を模式的に示す図である。
【図５】テンプル調整ユニットの一例を示す図である。
【図６】レンズメータの光学系と制御系の概略構成図である。
【図７】ＰＤ測定時に使用するスケールを示す図である。
【図８】ディスプレイの画面上に表示されるスケール表示画面の一例を示す図である。
【図９】ディスプレイの画面上に表示されたスケールにレンズＬＥの印点を合わせた図である。
【図１０】眼鏡フレームＦをより安定に設置できる機構を設けた構成の一例を示す図である。
【発明を実施するための形態】
【００１０】
以下、本開示の実施形態を図面に基づいて説明する。なお、本開示では、レンズメータ１の奥行き方向（図１における眼鏡フレームＦのテンプルＦＴＬ及びＦＴＲが伸びる方向）をＺ方向、奥行き方向に垂直な平面上の水平方向（図１における眼鏡フレームＦの左右端方向）をＸ方向、鉛直方向（図１における眼鏡フレームＦの上下端方向）をＹ方向として説明する。また、本開示では、ディスプレイ２をレンズメータ１の接地面に対して垂直に配置した状態において、接地面に対する垂直方向（上記のＹ方向）を縦方向として、水平方向（上記のＸ方向）を横方向として説明する。なお、本開示において符号に付されるＬ及びＲとは、それぞれ左用及び右用を示すものである。
【００１１】
＜概要＞
本実施形態におけるレンズメータ（例えば、レンズメータ１）は、測定光学系（例えば、測定光学系２０）と、ディスプレイ（例えば、ディスプレイ２）と、保持手段（例えば、テンプル調整ユニット１０）と、ＰＤ測定手段（例えば、制御部３０）と、を備える。
【００１２】
例えば、測定光学系は、レンズの光学特性を測定する。例えば、ディスプレイは、測定結果を表示する。例えば、ディスプレイは種々の形状のディスプレイを用いてもよい。例えば、ディスプレイは、ディスプレイの表示画面の縦方向の長さが、ディスプレイの表示画面の横方向の長さよりも長い形状で構成されてもよい。また、例えば、ディスプレイは、ディスプレイの表示画面の横方向の長さが、ディスプレイの表示画面の縦方向の長さよりも長い形状で構成されてもよい。また、例えば、ディスプレイは、ディスプレイの表示画面の縦方向の長さと、ディスプレイの表示画面の横方向の長さとが同じ長さの形状で構成されてもよい。
【００１３】
例えば、保持手段は、眼鏡フレームを保持する保持手段であって、眼鏡フレームの左右のテンプル（例えば、左側テンプルＦＴＬ、右側テンプルＦＴＲ）の少なくとも一方に当接し、左右のテンプルの少なくとも一方のテンプルの位置を移動させることによって、左右のテンプルの間の幅を変更させる。例えば、幅を変更するとは、幅を広げる構成、幅を狭くする構成等が挙げられる。
【００１４】
例えば、保持手段は、レンズメータの任意の位置に配置することができる。例えば、ディスプレイの背面側に配置されてもよい。また、例えば、ディスプレイの前面側に配置されてもよい。また、例えば、ディスプレイの上方側に配置されてもよい。また、例えば、ディスプレイの下方側に配置されてもよい。
【００１５】
例えば、保持手段としては、左右のテンプルのそれぞれの少なくとも一部に当接する左右の当接部（例えば、当接部１４）と、左右の当接部の少なくともいずれか一方の当接部の位置を移動させる当接部移動手段と、を備える構成としてもよい。また、例えば、保持手段は、左右のテンプルのそれぞれの少なくとも一部に当接する左右の当接部であって、左右の当接部間の距離が所定の距離で設定された左右の当接部を備える構成としてもよい。
【００１６】
例えば、当接部移動手段は、手動にて調整される構成が挙げられる。この場合、例えば、操作者が操作部（例えば、回転ノブ、スライダー、駆動スイッチ等）を有し、操作部が操作されることによって、当接部の位置が移動される構成を用いてもよい。
【００１７】
また、例えば、当接部移動手段は、自動で調整される構成が挙げられる。この場合、例えば、眼鏡フレームを装用する被検者（装用者）の頭幅情報を取得する取得手段を備え、当接部移動手段（例えば、制御部３０）は、取得手段によって取得された頭幅情報に基づいて、左右の当接部の少なくともいずれか一方の当接部を左右方向に移動させる構成を用いてもよい。なお、例えば、取得手段としては、頭幅情報を入力可能な構成であってもよいし、他の装置によって取得された頭幅情報を受信する構成であってもよい。
【００１８】
例えば、当接部は、眼鏡フレームの左右のテンプルの耳かけ部分と当接するように配置される構成であってもよい。
【００１９】
例えば、ＰＤ測定手段は、保持手段によって保持された眼鏡フレームのＰＤを測定するために用いられる。
【００２０】
例えば、ＰＤ測定手段は、眼鏡フレームのＰＤを測定するためのスケールをディスプレイの画面に表示させる構成としてもよい。この場合、例えば、ＰＤ測定手段は、眼鏡フレームに取り付けられた左レンズ及び右レンズのレンズ面上に付された印点の左右方向の位置を検者が目視で読み取るためのスケールをディスプレイの画面に表示させる構成としてもよい。
【００２１】
また、ＰＤ測定手段は、印点を自動的に読み取ることによって、ＰＤを算出する構成としてもよい。この場合、例えば、左右のレンズの画像を取得する画像取得手段と、取得した左右のレンズの画像を解析することによって、左右の印点をそれぞれ検出する検出手段と、検出した左右の印点間の距離を算出することによって、ＰＤを測定する演算手段と、を備える構成としてもよい。なお、例えば、画像取得手段としては、測定光学系を用いてもよい。例えば、画像取得手段としては、別途、撮影光学系を設けて、レンズ画像を取得する構成であってもよい。また、画像取得手段としては、別の装置によって取得されたレンズ画像を受信することによって画像を取得する構成であってもよい。
【００２２】
例えば、ＰＤ測定手段は、レンズメータの測定光学系２０によって、左右のレンズの光学中心を検出し、左右の光学中心間の距離を算出することによって、ＰＤを測定する構成であってもよい。なお、例えば、レンズが有する光学中心の位置を検出する際には、検者がレンズＬＥを移動（アライメント）することによって光学中心を検出する構成でもよいし、自動的にレンズと測定光学系の相対位置を調整して光学中心を検出する構成でもよい。
【００２３】
＜実施例＞
以下、本実施例において説明する。図１はレンズメータ装置の外観略図である。本実施例において、例えば、レンズメータ１は、ディスプレイ（モニタ）２、入力用スイッチ３、ノーズピース４、レンズ押え５、レンズテーブル６、レバー７、印点機構８、ＲＥＡＤスイッチ９、テンプル調整ユニット１０等を備える。なお、本実施例におけるレンズメータ１は、上記の構成を備える構成としたがこれに限定されない。本実施例におけるレンズメータ１は、少なくともテンプル調整ユニット１０を備える構成であればよい。
【００２４】
例えば、ディスプレイ２には、ＬＣＤ（Liquid Crystal Display）が用いられる。なお、本実施例において、ディスプレイ２は、ＬＣＤを用いる構成を例に挙げて説明したがこれに限定されない。例えば、ディスプレイ２は、有機ＥＬ（Electro Luminescence）ディスプレイやプラズマディスプレイを用いる構成であってもよい。
【００２５】
例えば、ディスプレイ２はタッチパネルである。すなわち、本実施例においては、ディスプレイ２が操作部（コントローラ）として機能する。もちろん、ディスプレイ２は、タッチパネル式でなくともよい。また、例えば、ディスプレイ２は、複数のディスプレイを併用してもよい。
【００２６】
例えば、ディスプレイ２は、入力された操作指示に応じた信号を、後述する制御部３０（図６参照）に出力する。もちろん、ディスプレイ２と操作部は、別に設けられる構成であってもよい。例えば、操作部として、マウス、ジョイスティック、キーボード、携帯端末等の少なくともいずれかを用いる構成が挙げられる。
【００２７】
例えば、ディスプレイ２には、各種情報が表示される。例えば、各種情報とは、レンズメータによって測定された測定結果や、左右レンズＬＥの光学中心間距離（すなわち瞳孔間距離）の測定に必要なスケール４０（図７参照）等である。光学中心間距離及び瞳孔間距離については後述する。
【００２８】
本実施例において、例えば、ディスプレイ２は、少なくとも表示画面の縦方向（Ｙ方向）の長さが、表示画面の横方向（Ｘ方向）の長さよりも長い形状である。つまり、ディスプレイ２は、ディスプレイの表示画面が縦長の形状をもつディスプレイである。もちろん、ディスプレイ２の形状は本実施例に限定されない。例えば、ディスプレイ２としては、表示画面の縦方向の長さが、表示画面の横方向の長さと同じ形状をもつディスプレイを用いてもよい。また、例えば、ディスプレイ２としては、表示画面の横方向の長さが、表示画面の縦方向の長さよりも長い（すなわち横長の）形状をもつディスプレイを用いてもよい。
【００２９】
例えば、入力用スイッチ３は、レンズメータ１が各種処理を実行するための入力信号（例えば、各種測定モードの切り換え、ディスプレイ２の画面上におけるスケール４０の表示位置変更等）を入力するために用いる。例えば、本実施例においては、入力用スイッチ３がディスプレイ２の画面上に表示される。すなわち、例えば、ディスプレイ２の画面をタッチすることによって、入力用スイッチ３を操作することができる。なお、本実施例では、入力用スイッチ３が、ディスプレイ２の画面上に電子的に表示される構成を例に挙げて説明しているがこれに限定されない。例えば、入力用スイッチ３は、レンズメータ１やディスプレイカバー２ａ等に設置されていてもよい。
【００３０】
例えば、ノーズピース４は、レンズＬＥの光学特性（例えば、球面度数Ｓ、柱面度数Ｃ、乱視軸角度Ａ、プリズム量Δ等）を測定する際の基点である。例えば、レンズ押え５は、レンズＬＥを上方から押さえて安定に保持するためのものである。例えば、レンズテーブル６は、眼鏡フレーム入りレンズＬＥの光学特性を測定する際に用いられる。この場合、例えば、レンズテーブル６に、眼鏡フレームＦの左右リムの下端が当接される。例えば、レバー７は、レンズテーブル６をＺ方向に移動させるためのものである。例えば、印点機構８は、レンズＬＥの光学中心に印点を施すものである。例えば、ＲＥＡＤスイッチ９は、レンズＬＥの光学特性を読み取る際に使用する。
【００３１】
例えば、テンプル調整ユニット１０は、眼鏡フレームＦを保持するための保持手段である。また、例えば、テンプル調整ユニット１０は、ＰＤを測定するために用いられる。また、例えば、テンプル調整ユニット１０は、眼鏡フレームＦの形状を変形させるために用いられる。例えば、テンプル調整ユニット１０は、レンズメータ１の背面側（例えば、ディスプレイ２よりも奥側）に配置される。なお、本実施例では、テンプル調整ユニット１０をレンズメータ１の背面側に配置した構成を例に挙げて説明するがこれに限定されない。例えば、テンプル調整ユニット１０は、眼鏡フレームＦを保持し、テンプル間の幅を変更することができる位置であれば、任意の位置に配置可能である。例えば、テンプル調整ユニット１０は、レンズメータ１の前面側に配置される構成であってもよい。
【００３２】
以下、眼鏡装用者の瞳孔間距離（以下、ＰＤ（Pupil Distance）と記載）と、レンズＬＥの光学中心間距離（以下、ＯＣＤ（Optical Center Distance）と記載）について説明する。例えば、ＰＤは、左眼の瞳孔中心と右眼の瞳孔中心を結んだ直線の距離で示される。例えば、ＯＣＤは、レンズＬＥの左側レンズの光学中心と、右側レンズの光学中心と、を結んだ直線の距離で示される。
【００３３】
例えば、眼鏡は、眼鏡装用者のＰＤと、眼鏡フレームＦに取り付けられるレンズＬＥのＯＣＤとが一致するように作製される。
【００３４】
例えば、眼鏡装用者のＰＤを算出する場合、眼鏡に取り付けられた左右のレンズの光学中心を検出し、光学中心間の距離を求めることによって、ＰＤを算出することができる。例えば、検者は、印点機構８を用いて、眼鏡に取り付けられた左右のレンズに対して、レンズメータ１によって光学中心を検出する。検者は、検出した光学中心位置に対して、印点機構８を用いて、左右レンズの光学中心を示す印点ＰＬｃ及びＰＲｃ（図９参照）を付与する。そして、検者は、左右レンズＬＥの光学中心を示す印点ＰＬｃ及びＰＲｃ間の距離を測定する。これによって、検者は、眼鏡装用者のＰＤを求めることができる。
【００３５】
ここで、装用者が眼鏡（眼鏡フレーム）を装用する際には、装用者は眼鏡フレームのテンプル部分を広げて顔に装着する。装用者に眼鏡フレームが装着された状態下では、眼鏡フレームのテンプル部分は、装用者の頭部を把持することになり、その反力によって、眼鏡フレーム自身が変形してしまう。これによって、眼鏡フレームは、装用者に装用された眼鏡装用状態における形状と、装用者への装用前の眼鏡非装用状態における形状と、で異なる形状となってしまう。これによって、眼鏡装用状態と眼鏡非装用状態とで、眼鏡のＰＤが変化する。このため、眼鏡非装用状態で測定されたＰＤを用いて眼鏡レンズの加工等を行い、眼鏡を製作した場合に、実際に装用者が眼鏡を装用すると、良好でない等の問題があった。なお、特にハイカーブフレーム（反り角の大きな眼鏡フレーム）の眼鏡は、眼鏡装用時と眼鏡非装用時とで、眼鏡の変形によって、よりＰＤの変化が大きくなる。
【００３６】
以下、眼鏡装用状態と眼鏡非装用状態における眼鏡の変形の影響について、より詳細に説明する。図２は、眼鏡フレームＦを左側リム（以下、リムと記載）ＦＲＬ及び右側リム（以下、リムと記載）ＦＲＲの上端側からみた図である。図２（ａ）は眼鏡非装用状態の眼鏡フレームを示している。図２（ｂ）は眼鏡装用状態の眼鏡フレームを示している。例えば、眼鏡非装用状態の眼鏡フレームＦは、図２（ａ）のように、左側テンプルＦＴＬ及び右側テンプルＦＴＲ）が眼鏡の内側に入り込んだ形状（テンプル部分が丸みを帯びた形状）である。一方、眼鏡装用状態の眼鏡フレームＦは、図２（ｂ）のように、左側テンプルＦＴＬ及び右側テンプルＦＴＲが眼鏡の外側に反った形状（テンプル部分が丸みを帯びていない形状）となる。
【００３７】
例えば、本実施例において、図２に示されるように、眼鏡装用状態における左右レンズの光学中心間の距離（眼鏡装用時におけるＰＤ）ｄ２は、眼鏡非装用状態における左右レンズの光学中心間の距離（眼鏡装用時におけるＰＤ）ｄ１よりも長くなる。
【００３８】
従来のレンズメータは、眼鏡非装用状態でレンズＬＥのＰＤを測定しており、上記のような眼鏡フレームＦの形状変化は考慮されていなかった。この場合、眼鏡非装用状態のＰＤを用いてレンズＬＥを加工することによって作製された眼鏡では、レンズＬＥの光学中心の位置と、眼鏡装用者の瞳孔の位置とが一致しない。このような場合、プリズムが発生するために、眼鏡を通してみえる像の位置が、本来みえる像の位置からずれてしまう。また、眼鏡装用者が眼鏡（眼鏡フレーム）を装用しても、眼鏡を通して良好な視界を得るために必要な光学特性を得ることができない。このため、眼鏡装用者が、眼鏡非装用状態のＰＤを用いて作製された眼鏡（眼鏡フレーム）を装用すると、眼精疲労、違和感、見えづらさ等が生じていた。
【００３９】
例えば、本実施例におけるレンズメータは、テンプル調整ユニット１０を用いて、眼鏡フレームＦを保持し、眼鏡フレームＦの左側テンプルＦＴＬと、右側テンプルＦＴＲ間の幅を変更する構成を備える。例えば、眼鏡装用者の頭幅等に応じて、眼鏡フレームＦの形状を変形させることができる。いいかえると、眼鏡装用者が眼鏡フレームＦを装用した状態を再現することができる。
【００４０】
以下、テンプル調整ユニット１０について詳細に説明する。図３は、テンプル調整ユニット１０の概略構成図である。例えば、テンプル調整ユニット１０は、眼鏡フレームＦの左側テンプルＦＴＬ及び右側テンプルＦＴＲの少なくとも一方に当接し、左右テンプルの少なくとも一方のテンプルの位置を移動させることによって、左右テンプル間の幅Ｗ（図４参照）を変更させるものである。
【００４１】
例えば、本実施例では、テンプル調整ユニット１０が、左側テンプルＦＴＬと右側テンプルＦＴＲのそれぞれにおいて、テンプルの内側と外側のどちらにも当接することによって、眼鏡フレームＦを保持する構成を例に挙げて説明する。もちろん、テンプル調整ユニット１０としては、テンプルの内側と外側のどちらにも当接する構成に限定されない。例えば、テンプル調整ユニット１０は、左右テンプルのそれぞれにおいて、テンプルの内側にのみ当接して眼鏡フレームＦを保持してもよいし、左右テンプルのそれぞれにおいて、テンプルの外側にのみ当接して眼鏡フレームＦを保持してもよい。また、例えば、テンプル調整ユニット１０としては、左右のテンプルの一方が内側に当接し、他方が外側に当接する構成であってもよい。
【００４２】
なお、本実施例において、テンプル調整ユニット１０は、左右のテンプルの双方に当接する構成を例に挙げて説明しているがこれに限定されない。例えば、テンプル調整ユニット１０は、上記のように、左側テンプルＦＴＬ及び右側テンプルＦＴＲのいずれか一方に当接することによって、眼鏡フレームＦを保持する構成であればよい。この場合、例えば、テンプル調整ユニット１０が、左右テンプルのいずれか一方の内側にのみ当接して眼鏡フレームＦを保持してもよい。また、この場合、例えば、テンプル調整ユニット１０が、左右テンプルのいずれか一方の外側にのみ当接して眼鏡フレームＦを保持してもよい。
【００４３】
例えば、テンプル調整ユニット１０は、回転ノブ１１、支柱１２、移動部１３、当接部１４、ギヤ１５、ガイド部１６、支持部１７等を備える。なお、テンプル調整ユニット１０は、上記の構成を備える構成としたがこれに限定されない。本実施例におけるテンプル調整ユニット１０は、少なくとも当接部１４を備える構成であればよい。例えば、回転ノブ１１は、移動部１３を移動させるためのものである。例えば、支柱１２の上方には回転ノブ１１が固定され、支柱１２の下方にはギヤ１５が固定されている。
【００４４】
例えば、移動部１３は、眼鏡フレームＦの左側テンプルＦＴＬに用いるための左側移動部１３Ｌと、右側テンプルＦＴＲに用いるための右側移動部１３Ｒと、を備える。例えば、移動部１３Ｌ及び１３Ｒには、ギヤ１５と噛み合うギヤ部分が形成されている。なお、本実施例においては、移動部１３がもつギヤ部分と、ギヤ１５と、が噛み合うことによって移動部１３が移動する構成としているがこれに限定されない。例えば、ギヤ１５の代わりに直接スライダーをスライドさせる機構を用いてもよい。この場合、移動部１３を直接移動させるためのグリップ部を移動部１３に設け、検者がグリップ部に指をあて、グリップ部を移動させることによって、移動部１３が移動する構成としてもよい。
【００４５】
例えば、当接部１４は、眼鏡フレームＦの左側テンプルＦＴＬの少なくとも一部に当接する左側当接部１４Ｌと、眼鏡フレームＦの右側テンプルＦＴＲの少なくとも一部に当接する右側当接部１４Ｒと、を備える。例えば、左側当接部１４Ｌには左側移動部１３Ｌが固定され、右側当接部１４Ｒには右側移動部１３Ｒが固定される。
【００４６】
例えば、本実施例において、当接部１４Ｌ及び１４Ｒは、テンプルを挟みこむことによって、テンプルを保持する構成となっている。すなわち、本実施例において、テンプル調整ユニット１０としては、テンプルの内側と外側のどちらにも当接する構成となっている。例えば、当接部１４Ｌ及び１４Ｒは、それぞれ２つの部材によって構成されている。例えば、当接部を構成する２つの部材は、図示無きばねによって連結されており、互いに引き付けあっている。例えば、本実施例では、当接部１４を構成する２つの部材の間に、眼鏡フレームＦのテンプルを挟むように当接することによって、２つの部材がばねによって引き付けられ、眼鏡フレームＦが保持される。つまり、当接部１４は、眼鏡フレームＦのテンプルの内側と外側のどちらにも当接することによって、眼鏡フレームＦを保持する。なお、例えば、当接部１４を構成する部材の数は、上記構成に限定されない。
【００４７】
なお、本実施例においては、テンプル調整手段が眼鏡フレームＦのテンプルの内側及び外側の少なくともいずれかに当接する場合とは、例えば、当接部１４が眼鏡フレームＦのテンプルの上側と下側に当接する場合も含む。
【００４８】
なお、本実施例においては、移動部１３と当接部１４が別の部材によって構成される例を挙げて説明するがこれに限定されない。例えば、移動部１３と当接部１４が一体的に形成された構成を備えていてもよい。また、例えば、当接部１４は、眼鏡フレームＦの左右テンプルの少なくとも一部に当接するものであればよい。すなわち、例えば、当接部１４は、眼鏡フレームＦにおける左右テンプルの全体に当接してもよい。また、例えば、当接部１４は、眼鏡フレームＦにおける左右テンプルの一部分（例えば、テンプルの耳かけ部分ＦＭＬ及びＦＭＲ等）に当接してもよい。例えば、当接部１４を、左右テンプルの耳かけ部分ＦＭＬ及びＦＭＲに当接させた場合には、眼鏡フレームＦをレンズメータ１に設置した際に、眼鏡装用者が眼鏡フレームＦを装用したとき（すなわち、眼鏡フレームＦが眼鏡装用者の耳に保持されたとき）に近い状態を再現することができる。もちろん、当接部１４Ｌ及び１４Ｒの構成は、左側テンプルＦＴＬと右側テンプルＦＴＲで異なっていてもよい。
【００４９】
例えば、ガイド部１６は、移動部１３Ｌ及び１３Ｒを、テンプル調整ユニット１０の横方向（Ｘ方向）に移動可能とするためのものである。例えば、ガイド部１６は、左側移動部１３Ｌが取り付けられる左側ガイド部１６Ｌと、右側移動部１３Ｒが取り付けられる右側ガイド部１３Ｒと、を備える。例えば、ガイド部１６は、支持部１７に固定されている。例えば、支持部１７は、レンズメータ１の内部に固定されている。なお、本実施例において、例えば、ガイド部１６は、移動部１３Ｌ及び１３Ｒをスライドさせる機構であるがこれに限定されない。例えば、移動部１３を所定の方向に移動可能とする構成であってもよい。この場合、例えば、移動部１３Ｌ及び１３Ｒと噛み合うギヤ機構等を用いることができる。
【００５０】
図４は、テンプル調整ユニット１０の動作を模式的に示す図である。図４（ａ）と図４（ｂ）は、テンプル調整ユニット１０の調整状態がそれぞれ異なる場合の一例を示す図である。例えば、本実施例におけるレンズメータ１は、検者が回転ノブ１１を回転させることによって、支柱１２及び支柱１２に固定されたギヤ１５が回転するものである。例えば、ギヤ１５と噛み合う移動部１３Ｌ及び１３Ｒは、ギヤ１５の回転によって、ガイド部１６Ｌ及び１６Ｒに沿ってＸ方向に移動する。これによって、当接部１４Ｌ及び１４Ｒ間の距離Ｗが変更される。すなわち、当接部１４Ｌ及び１４Ｒに、眼鏡フレームＦのテンプルＦＴＬ及びＦＴＲが当接されていた場合には、左右テンプル間の幅Ｗを調整することが可能である。なお、回転ノブ１１の操作によって移動部１３を移動させる伝達機構の構成はこれに限定されない。例えば、回転ノブ１１の回転が移動部１３に伝達される構成であればよい。この場合、例えば、伝達機構として、ベルトや弾性部材等を用いる構成が挙げられる。
【００５１】
例えば、本実施例においては、回転ノブ１１の回転方向を切り換えることによって、当接部１４Ｌ及び１４Ｒ（あるいは移動部１３Ｌ及び１３Ｒ）の移動方向が変更される。例えば、回転ノブ１１が時計回りに回転された場合、左側移動部１３Ｌは左方向（Ａ方向）に移動し、右側移動部１３Ｒは右方向（Ｂ方向）に移動する（つまり、図４（ａ）の状態から図４（ｂ）の状態に変更される）。また、例えば、回転ノブ１１が反時計回りに回転された場合、左側移動部１３Ｌは右方向（Ｂ方向）に移動し、右側移動部１３Ｒは左方向（Ａ方向）に移動する（つまり、図４（ｂ）の状態から図４（ａ）の状態に変更される）。もちろん、回転ノブ１１の回転方向に対する移動部１３の移動方向は、本実施例とは異なる構成であってもよい。
【００５２】
例えば、左側当接部１４Ｌと右側当接部１４Ｒ間の距離Ｗ、すなわち眼鏡フレームＦにおける左右テンプル間の幅Ｗは、回転ノブ１１の回転量から判断される。例えば、眼鏡フレーム保持ユニット１０は、回転ノブ１１の回転量を検出するセンサを備えていてもよい。検者が回転ノブ１１を回転させると、制御部３０（図６参照）は、回転ノブ１１の回転量から左右テンプル間の幅Ｗを演算して、その値をディスプレイ２の画面上に表示する。例えば、回転ノブ１１の回転量を検出するセンサとしては、可変抵抗器（ポテンショメータ）を用いることができる。この場合には、例えば、回転ノブ１１の回転に応じてポテンショメータの抵抗値が増減し、レンズメータ１内を流れる電流量が変化する。例えば、回転ノブ１１の回転量は、この電流の変化量から求めることができる。また、例えば、回転ノブ１１の回転量を検出するセンサとしては、光検出器（光センサ）を用いることができる。この場合には、例えば、回転ノブ１１の回転に応じてスリット板を回転させる。例えば、回転ノブ１１の回転量は、光がスリット板を通過した回数を検出することによって求めることができる。
【００５３】
なお、本実施例においては、左側当接部１４Ｌと右側当接部１４Ｒ間の距離Ｗを、ディスプレイ２の画面上に表示する構成を例として説明したがこれに限定されない。例えば、当接部１４Ｌ及び１４Ｒ間の距離Ｗは、ディスプレイ２の画面上に表示されなくてもよい。この場合、例えば、図５のように、レンズメータ１に指標１８を備え、回転ノブ１１に左側当接部１４Ｌと右側当接部１４Ｒ間の距離Ｗを示す目盛１９を備えた構成でもよい。検者は、所望の目盛を指標１８に合わせるように、回転ノブ１１を回転させる。より詳細には、例えば、検者が左右テンプル間の幅Ｗを１６ｃｍに設定したいときは、回転ノブ１１に記された目盛１９のうち、１６の数値を、レンズメータ１に記された指標１８に合わせればよい。これによって、左側当接部１４Ｌと右側当接部１４Ｒ間の距離Ｗが１６ｃｍとなり、眼鏡フレームＦにおける左右テンプル間の幅Ｗが１６ｃｍに設定される。
【００５４】
なお、本実施例においては、テンプル調整ユニット１０を手動で操作する構成を例に挙げて説明したがこれに限定されない。例えば、当接部１４Ｌ及び１４Ｒ間の距離Ｗは、モータ等の電動機構を用いて、自動で調整されてもよい。例えば、当接部１４Ｌ及び１４Ｒ（あるいは移動部１３Ｌ及び１３Ｒ）の少なくとも一方の移動が、移動部１３Ｌ及び１３Ｒの位置を位置検出センサ等で検出することによって制御される構成が挙げられる。また、例えば、当接部１４Ｌ及び１４Ｒ（あるいは移動部１３Ｌ及び１３Ｒ）の少なくとも一方の移動が、モータの回転量等を検知することによって制御される構成が挙げられる。
【００５５】
なお、本実施例では、検者の操作によってテンプル調整ユニット１０の当接部１４Ｌ及び１４Ｒ間の距離Ｗが調整される場合を例に挙げて説明したがこれに限定されない。例えば、当接部１４Ｌ及び１４Ｒ間の距離Ｗは、他の装置を介して調整される構成であってもよい。この場合、例えば、他の装置が取得した眼鏡装用者の頭幅情報を、レンズメータ１が受信することによって、当接部１４Ｌ及び１４Ｒ間の幅Ｗが調整されてもよい。例えば、レンズメータ１は、他装置からの信号を受信する受信部を備え、他の装置から送信された信号を受信する。制御部３０は、受信した信号に基づいて当接部１４を移動させる。これによって、当接部１４間の距離Ｗが調整される。このように、眼鏡装用者の頭幅情報に基づいて左右テンプル間の幅Ｗが自動的に変更されることによって、左右テンプル間の幅Ｗを容易に眼鏡装用者の頭幅に合わせることができる。
【００５６】
また、本実施例においては、当接部１４Ｌ及び１４Ｒ間の距離Ｗを変更するために、当接部１４Ｌ及び１４Ｒ（移動部１３Ｌ及び１３Ｒ）の双方が移動する構成を例としたがこれに限定されない。例えば、当接部１４Ｌ及び１４Ｒの少なくともいずれか一方の当接部の位置が移動される構成であればよい。すなわち、当接部１４Ｌ及び１４Ｒの一方のみが移動される構成であってもよい。この場合、例えば、テンプル調整ユニット１０としては、当接部１４が左右テンプルＦＴを保持する構成を有し、左右テンプルの少なくとも一方が、内側方向に向けて移動される構成（例えば、テンプルが内側に押し込まれる構成等）が挙げられる。また、例えば、当接部１４が左右テンプルＦＴを保持する構成を有し、左右テンプルの少なくとも一方が、外側方向に向けて移動される構成（例えば、テンプルが外側に引っ張られる構成等）が挙げられる。
【００５７】
なお、本実施例においては、当接部１４Ｌ及び１４Ｒ間の距離Ｗが、当接部１４（移動部１３）を所定の距離だけ移動させることによって変更される構成を例に挙げて説明したがこれに限定されない。例えば、当接部１４Ｌ及び１４Ｒ間の距離Ｗは、当接部１４が所定のステップ（例えば、０．５ｃｍ間隔）ずつ左右方向に移動することによって変更される構成であってもよい。また、例えば、当接部１４Ｌ及び１４Ｒ間の距離Ｗは、眼鏡装用者の平均的な頭幅に変更されてもよい。この場合、例えば、男性、女性、子供等の平均的な頭幅を設定しておき、これらを任意に切り換えることによって、当接部１４が左右方向に移動する構成が挙げられる。なお、本実施例においては、当接部１４Ｌ及び１４Ｒ間の距離Ｗを変更可能とする構成を備えているがこれに限定されない。例えば、当接部１４Ｌ及び１４Ｒ間の距離Ｗは、予め所定の距離（例えば、人の平均的な頭幅等）に固定されている構成であってもよい。
【００５８】
図６はレンズメータの光学系と制御系を示す概略構成図である。例えば、測定光学系２０は、測定光源２１、コリメーティングレンズ２２、ミラー２３、グリッド板２４、２次元受光センサ２５等を備える。例えば、測定光源２１はＬＥＤ（Light Emitting Diode）で構成される。例えば、測定光源２１は測定光軸Ｌ１上に配置される。例えば、測定光軸Ｌ１は、ノーズピース４がもつ開口４ａ（直径８ｍｍの円形状）の平面に対して垂直に配置される。例えば、グリッド板２４には、レンズＬＥの複数箇所における光学特性を１度に測定するために、多数の測定指標が形成されている。例えば、グリッド板２４は、レンズメータ１の保持部材２６によって保持される。なお、測定指標の構成及び測定指標を用いた被検レンズＬＥの光学特性測定については周知の技術を応用しているため、詳しくは特開２００８−２４１６９４号公報を参照されたい。
【００５９】
例えば、制御部３０には、ディスプレイ２、ＲＥＡＤスイッチ９、測定光源２１、２次元受光センサ２５、メモリ３１等が接続されている。なお、制御部３０は、複数の制御部（つまり、複数のプロセッサ）によって構成されていてもよい。例えば、制御部３０は、レンズＬＥの光学特性を演算するための演算処理を行う。また、例えば、制御部３０は、各種測定モードを切り換える表示制御を行う。本実施例において、例えば、制御部３０は、ディスプレイ２の画面上において、スケール４０の表示位置を変更する（詳細については後述する）。例えば、メモリ３１には、レンズＬＥのＰＤを測定する際に表示させるスケール情報等が記憶されている。
【００６０】
以下、ＰＤ測定手段として、眼鏡フレームに取り付けられた左レンズ及び右レンズのレンズ面上に付された印点の左右方向の位置を検者が目視で読み取るためのスケールをディスプレイの画面に表示させる構成を用いる場合を例に挙げて説明する。もちろん、ＰＤ測定手段としては上記構成に限定されない。
【００６１】
図７は、ＰＤ測定時に使用するスケール４０の一例を示す図である。例えば、スケール４０は、レンズＬＥの光学中心に付された印点ＰＬｃ及びＰＲｃ（図９参照）間の距離を測定するためのものである。すなわち、スケール４０は、ＰＤを測定するためのものである。例えば、スケール４０は、縦線４１、水平線４２、ガイドマーク４３等で構成される。例えば、縦線４１は、ディスプレイ２の縦方向（Ｙ方向）に垂直な直線である。例えば、縦線４１は、ディスプレイ２の横方向（Ｘ方向）に対して、所定の測定単位距離（例えば実寸の１．０ｍｍ）毎に等間隔で並ぶ。例えば、縦線４１の上方には、後述する基準線４４から左右方向に向かって、実寸距離としての距離数値「２０」「３０」「４０」「５０」が表示される。例えば、縦線４１の下方には、ＰＤを読み取るための参照用の距離数値「０」「１０」「５０」…「８０」が表示される。縦線４１の下方における距離数値「１０」−「８０」は、縦線４１の下方における距離数値「０」からの実寸の距離（単位ｍｍ）である。例えば、水平線４２は、縦線４１の中央に対して垂直に交わる直線である。例えば、水平線４２は、左右レンズＬＥに付された印点ＰＬｃ及びＰＲｃ（図９参照）の上下位置を合わせるために用いる。
【００６２】
例えば、ガイドマーク４３は、眼鏡フレームＦにおけるブリッジＦＢの中央が、スケール４０の中央に位置しているか否かを確認するためのものである。例えば、ガイドマーク４３は、基準線４４、第１ガイドマーク４５、第２ガイドマーク４６等で構成される。例えば、基準線４４はディスプレイ２の縦方向（Ｙ方向）に垂直な直線である。例えば、基準線４４はスケール４０の左右中央に位置する。例えば、第１ガイドマーク４５は、三角マークと、基準線４４側に傾斜した図形によって構成される。例えば、第１ガイドマーク４５は水平線４２よりも下側に位置する。例えば、第２ガイドマーク４６は、基準線４４の左右方向に向かって、縦線４１と同様に１．０ｍｍ間隔で並ぶ直線によって構成される。例えば、第２ガイドマーク４６は、水平線４２よりも上側に位置する。例えば、ガイドマーク４３、及びガイドマーク４３を構成する第１ガイドマーク４５と第２ガイドマーク４６は、基準線４４を中心とした左右対称な図形である。
【００６３】
なお、縦線４１、水平線４２、ガイドマーク４３等の、スケール４０を構成する図形の表示については本実施例に限定されない。例えば、本実施例では、１．０ｍｍ間隔の縦線４１を、基準線４４に対して左方向の距離１５−５０ｍｍと、右方向の距離１５−５０ｍｍに表示している。例えば、基準線４４に対して左方向及び右方向の距離１−１４ｍｍには縦線４１を設けていないが、この距離間に縦線４１を設ける構成であってもよい。また、例えば、水平線５４はガイドマーク４３の周辺において分断するように表示しているが、１本の連続した線として表示する構成であっても良い。また、例えば、ガイドマーク４３は、スケール４０の左右中央を判断し易い構成であればよく、その図形については種々の図形が適用できる。
【００６４】
図８は、ディスプレイ２の画面上に表示されるスケール表示画面の一例を示す図である。スケール表示画面は、レンズＬＥのＰＤを測定する際に、ディスプレイ２の画面上に表示される。例えば、スケール表示画面には、スケール４０、入力用スイッチ３、等が表示される。もちろん、スケール表示画面としては、上記構成に限定されない。
【００６５】
例えば、スケール表示画面に設けられた入力用スイッチ３は、スケール表示位置変更スイッチ５１ａ，５１ｂ、ディスプレイ表示色反転スイッチ５２、ＰＤ基準指標移動スイッチ５３等を備える。
【００６６】
例えば、スケール表示位置変更スイッチ５１ａは、スケール４０をディスプレイ２の画面上方に移動させる際に使用する。また、例えば、スケール表示位置変更スイッチ５１ｂは、スケール４０をディスプレイ２の画面下方に移動させる際に使用する。例えば、スケール表示位置変更スイッチ５１が選択されると、縦線４１、水平線５４、距離数値、ガイドマーク４３等を含むスケール４０を、一体的にスケール表示画面の上方あるいは下方に移動させる信号が制御部３０に送信される。例えば、制御部３０は、これらの入力信号に基づいてディスプレイ２の表示を制御する。
【００６７】
例えば、制御部３０は、スケール表示位置変更スイッチ５１の選択によって送信された入力信号を受信する毎に、スケール４０を１ステップずつ上方向あるいは下方向へ移動させる。例えば、１ステップはディスプレイの１画素に対応している。例えば、ディスプレイの上下方向における１画素は０．２ｍｍである。すなわち、例えば、スケール表示位置変更スイッチ５１が選択される毎に、ディスプレイ２の画面上に表示されたスケール４０の位置が、０．２ｍｍずつ上方向あるいは下方向に移動する。
【００６８】
例えば、ディスプレイ表示色反転スイッチ５２は、ディスプレイ２の背景を白色あるいは黒色に切り換える際に使用する。例えば、ディスプレイ表示色反転スイッチ５２が選択されると、ディスプレイ２における表示色の白黒（輝度）を反転させるための信号が制御部３０へと送信される。例えば、本実施例においては、ディスプレイ２は白色背景であり、スケール４０は黒色表示である。例えば、ディスプレイ表示色反転スイッチ５２を選択することによって、ディスプレイ２を黒色背景に、スケール４０を白色表示にすることができる。従って、検者は、検者にとって好ましい条件で、左右レンズＬＥに付与された印点ＰＬｃ及びＰＲｃの位置を読み取ることができる。例えば、色入りのレンズ等では、ディスプレイ２を黒色で表示し、スケール４０を白色で表示したほうが、印点の位置を読み取り易い場合がある。なお、本実施例においては、ディスプレイ２の背景色が白色から黒色に反転し、スケール４０の表示色が黒色から白色に反転する構成を例に挙げて説明するがこれに限定されない。例えば、ディスプレイ２の背景色やスケール４０の表示色は、検者にとって見やすい表示であればよい。この場合、例えば、ディスプレイ２やスケール４０の配色を変更するためのスイッチを別途設けて、検者がディスプレイ２のカラーバランスを任意に変更する構成としてもよい。
【００６９】
例えば、ＰＤ基準指標移動スイッチ５３は、左右レンズＬＥに付与された印点ＰＬｃ及びＰＲｃ間の距離を測定する際に使用する。例えば、ＰＤ基準指標移動スイッチ５３が選択されると、ＰＤ基準線５４がスケール４０上を移動する。例えば、ＰＤ基準線５４は、左レンズＬＥに付与された印点ＰＬｃに位置を合わせるためのＰＤ基準線５４Ｌと、右レンズＬＥに付与された印点ＰＲｃに位置を合わせるためのＰＤ基準線５４Ｒと、を備える。例えば、制御部３０は、ＰＤ基準線５４Ｌ及び５４Ｒ間の距離を算出して、ディスプレイ２の画面上に表示させる。なお、ＰＤ基準線５４の詳細については後述する。
【００７０】
以上のような構成を備えるレンズメータにおいて、動作について説明する。例えば、本実施例においては、左右のレンズＬＥの光学特性を測定した後に、スケール４０を利用してＰＤを測定する動作について説明する。もちろん、ＰＤ測定のみを実施するようにしてもよい。
【００７１】
例えば、検者は、ノーズピース４に眼鏡を設置し、左右のレンズＬＥの光学特性を測定する。例えば、初めに、眼鏡における左側レンズの測定を行う。もちろん、右側レンズから測定するようにしてもよい。左右のレンズＬＥの測定を同時に実施できるレンズメータの場合には、左右を同時に測定するようにしてもよい。検者は、左側のレンズがノーズピース４に位置するように配置し、測定を開始する。例えば、検者は、左側レンズＬＥにおける光学特性の測定が終了した場合、印点機構８を用いて、左側レンズが有する光学中心に印点を付与する。左側レンズに印点を付与した後、右側レンズについても、左側レンズと同様にして、印点機構８を用いて、右側レンズが有する光学中心に印点を付与する。
【００７２】
例えば、印点は、レンズＬＥの光学中心を示す中心印点（ＰＬｃ及びＰＲｃ）と、中心印点に対して右側及び左側の水平方向に位置する印点（ＰＬ１とＰＬ２、及びＰＲ１とＰＲ２）から成る（図９参照）。なお、印点の数や位置等については、本実施例とは異なる構成であってもよい。
【００７３】
次いで、検者は、ディスプレイ２に表示された図示無きスケール表示モード切り換えスイッチを選択する。検者によって図示無きスケール表示モード切り換えスイッチが選択されると、制御部３０は、測定モードを光学特性測定モードからスケール表示モードに切り換える。また、制御部３０は、ディスプレイ２に、レンズＬＥのＰＤを測定するためのスケール表示画面を表示させる。なお、本実施例では、図示無きスケール表示モード切り換えスイッチの選択によって、スケール表示モード切り換えが行われる構成を例として挙げたがこれに限定されない。例えば、左側レンズと右側レンズの両方について、それぞれの光学特性を取得して印点を付与した後、自動的に光学特性測定モードからスケール表示モードへの切り換えが行われる構成としてもよい。
【００７４】
例えば、レンズメータ１がスケール表示モードに切り換わると、ディスプレイ２の画面にはスケール表示画面が表示される。
【００７５】
例えば、検者は、左右のレンズＬＥが取り付けられた眼鏡フレームＦを、テンプル調整ユニット１０に設置する。例えば、本実施例においては、眼鏡フレームＦの左側テンプルＦＴＬを、左側当接部１４Ｌに挟み込むように当接させる。また、例えば、本実施例においては、右側テンプルＦＴＲを、右側当接部１４Ｒに挟み込むように当接させる。これによって、眼鏡フレームＦはレンズメータ１に保持され、眼鏡フレームＦのレンズＬＥがディスプレイ２の画面に対して水平に保たれる。
【００７６】
例えば、検者は、テンプル調整ユニット１０を調整する。例えば、制御部３０は、回転ノブ１１の回転量から、左側当接部１４Ｌと右側当接部１４Ｒ間の距離Ｗを算出する。また、例えば、制御部３０は、算出した距離Ｗをディスプレイ２の画面に表示する。これによって、検者は、ディスプレイ２の画面をみながら、ディスプレイ２に表示された値を調節して、当接部１４間の距離Ｗを変更することができる。例えば、検者は、ディスプレイ２に表示された幅Ｗを確認しながら、テンプル調整ユニット１０の回転ノブ１１を操作し、眼鏡装用者の頭幅と眼鏡フレームＦの左右テンプル間の幅Ｗとを合わせる。このようにして、本実施例におけるレンズメータ１は、眼鏡装用者が眼鏡フレームＦを装用した状態における眼鏡フレームＦの形状を再現することが可能である。
【００７７】
次いで、検者は、スケール表示画面を使用して、左右レンズＬＥに付された印点ＰＬｃとＰＲｃ間の左右方向における距離を測定することによって、ＰＤを取得する。検者は、ディスプレイ２に表示されたスケール表示画面を用いて、ＰＤを測定する。
【００７８】
例えば、図９はディスプレイ２の画面上に表示されたスケール４０に、レンズＬＥの印点を合わせた図である。印点を付与したレンズＬＥが取り付けられた眼鏡フレームＦは、左右テンプルＦＴがレンズメータ１の奥方向に向き、左右リムＦＲの下端がディスプレイ２の下方を向く方向で設置されている。
【００７９】
例えば、検者は、ディスプレイ２に表示されたスケール４０の水平線４２の高さが、左右レンズＬＥの印点ＰＬｃ及びＰＲｃの高さと一致するように、スケール表示位置変更スイッチ５１を適宜選択して調節する。検者によってスケール表示位置変更スイッチ５１が選択されると、制御部３０は、スケール４０の表示位置を上方向あるいは下方向に１ステップ（０．２ｍｍ）ずつ移動させる。例えば、検者によって変更スイッチ５１ａが選択される毎に、制御部３０は、縦線４１、水平線５４、距離数値、ガイドマーク４３等を含むスケール４０を、一体的にスケール表示画面の上方に０．２ｍｍ移動させる。また、例えば、検者によって変更スイッチ５１ｂが選択される毎に、制御部３０は、縦線４１、水平線５４、距離数値、ガイドマーク４３等を含むスケール４０を、一体的にスケール表示画面の下方に０．２ｍｍ移動させる。なお、本実施例においては、スケール４０が１ステップ毎に上方向あるいは下方向に移動する構成について説明したがこれに限定されない。例えば、検者がディスプレイ２の画面上を長押しした位置にスケール４０が移動する構成でもよい。また、例えば、眼鏡フレームＦの位置を検出して、その位置にスケール４０が自動で移動する構成でもよい。
【００８０】
例えば、ＰＤの測定を行う場合に、検者は、眼鏡フレームＦのブリッジＦＢの中央が、ガイドマーク４３の基準線４４に位置していることを確認する。より詳細には、第１ガイドマーク４５と第２ガイドマーク４６の左右対称性を見比べて、それぞれの図形が左右対称となる位置にブリッジＦＢの中央があることを確認する。例えば、本実施例におけるレンズメータ１の構成では説明していないが、ブリッジＦＢの中央と、基準線４４と、を一致させるための機構がレンズメータ１に備えられていてもよい。この場合、例えば、レンズメータ１に、ディスプレイ２の画面上に表示されるスケール４０の位置を左右方向に移動可能な変更スイッチを設けておいてもよい。あるいは、眼鏡フレームＦを左右方向に移動可能とする構成を備えていてもよい。
【００８１】
次いで、例えば、検者は、ＰＤ基準線５４を移動させるためのＰＤ基準指標移動スイッチ５３を選択して、左レンズＬＥに用いるＰＤ基準線５４Ｌを、左レンズＬＥの印点ＰＬｃと交わる位置に移動させる。同様に、例えば、ＰＤ基準指標移動スイッチ５３を選択して、右レンズＬＥに用いるＰＤ基準線５４Ｒを、右レンズＬＥの印点ＰＲｃと交わる位置に移動させる。
【００８２】
例えば、制御部３０は、ＰＤ基準線５４Ｌと、ＰＤ基準線５４Ｒとの間の距離を算出する。制御部３０は、算出した距離をディスプレイ２の画面上にＰＤとして表示させる。これによって、検者は、ＰＤを容易に取得することができる。
【００８３】
また、例えば、制御部３０は、ディスプレイ２の画面上に片眼ＰＤを表示させる。片眼ＰＤとは、眼鏡フレームＦの左右中央（すなわちブリッジＦＢの左右中央）と、片側のレンズＬＥの光学中心との距離である。例えば、制御部３０は、スケール４０がもつ基準線４４からＰＤ基準線５４Ｌまでの距離を算出する。制御部３０は、算出した距離をディスプレイ２の画面上に左側ＰＤとして表示させる。同様に、例えば、制御部３０は、スケール４０がもつ基準線４４からＰＤ基準線５４Ｒまでの距離を算出する。制御部３０は、算出した距離をディスプレイ２の画面上に右側ＰＤとして表示させる。これによって、検者は、左右のレンズＬＥのそれぞれについて片眼ＰＤを取得することもできる。
【００８４】
以上のように、本実施例において、例えば、レンズメータにおいて、左右のテンプルの間の幅を変更させる構成を設けることによって、装用者が眼鏡（眼鏡フレーム）を装用した際に、眼鏡フレームが変形することを考慮して、ＰＤの測定を行うことが可能となる。これによって、装用状態に近い状態でのＰＤを取得することができ、眼鏡フレームが変形することを考慮したＰＤを取得することができる。特に、ハイカーブフレーム（そり角が大きい眼鏡フレーム）の場合には、装用者が眼鏡を装用した際における、眼鏡フレームの変形が大きくなる。このため、特に、本開示の技術が有用となる。
【００８５】
また、例えば、本実施例において、左右のテンプルの幅を種々の幅に変更することが可能である構成を設けることによって、装用者の個々の顔幅に応じた眼鏡フレームの変形状態を再現することが可能となる。これによって、装用者によって、眼鏡装用時の眼鏡フレームの変形状態が異なる場合であっても、装用者毎の眼鏡フレームの変形状態を容易に再現することが可能となる。
【００８６】
また、例えば、本実施例において、左右のテンプルの幅が所定の幅に変更される構成を設けることによって、装用者が眼鏡（眼鏡フレーム）を装用した状態と近い状態の眼鏡フレームの変形状態を容易に再現することが可能となる。
【００８７】
また、例えば、本実施例において、頭幅情報に基づいて、自動的に左右のテンプルの幅が変更される構成を設けることによって、容易にスムーズに測定を行うことができる。
【００８８】
また、例えば、本実施例において、当接部が耳かけ部分と当接するように配置されることによって、眼鏡フレームをレンズメータに設置した際に、実際に装用者が眼鏡（眼鏡フレーム）を装用した状態と近い状態を再現することができる。測定者は、この状態の下で、左右のテンプルの幅の変更をさせることによって、実際に装用者が眼鏡を装用した状態とより近い状態での眼鏡フレームの変形状態を再現することができる。
【００８９】
また、例えば、本実施例において、ディスプレイの少なくとも表示画面の縦方向の長さが、ディスプレイの表示画面の横方向の長さよりも長い形状で構成されていることによって、ディスプレイの横方向の幅を小さくできるため、左右のテンプル間の距離が小さい眼鏡フレームであっても、ディスプレイ部分に接触することなく、眼鏡フレームを保持手段（テンプル調整ユニット）に保持させることができる。すなわち、より詳細には、例えば、ディスプレイの背面側にテンプル調整ユニットが配置されている構成の場合に、眼鏡フレームの左右のテンプル間の幅よりも、ディスプレイ２の幅が大きいと、テンプル調整ユニットに眼鏡を配置できない。特に、左右テンプル間の幅が短い眼鏡フレームにおけるＰＤを測定する際に、左右のテンプルの幅がディスプレイ２の幅よりも小さくなることが多く、テンプル調整ユニットに眼鏡を配置できなくなる。このため、眼鏡装用状態時におけるＰＤを測定することができなる。ディスプレイの少なくとも表示画面の縦方向の長さが、ディスプレイの表示画面の横方向の長さよりも長い形状で構成されていることによって、ディスプレイの横方向の幅を小さくできるため、左右のテンプル間の距離が小さい眼鏡フレームであっても、ディスプレイ部分に接触することなく、眼鏡フレームを保持手段（テンプル調整ユニット）に保持させることができる。これによって、ＰＤを測定することが可能となる。
【００９０】
なお、例えば、本実施例において、レンズメータ１に、眼鏡フレームＦをより安定に設置できるような機構を設けてもよい。図１０は、眼鏡フレームＦをより安定に設置できる機構を設けた構成の一例を示す図である。例えば、図１０（ａ）は、ディスプレイカバー２ａの底部に、眼鏡フレームＦにおける左右のリムＦＲＬ及びＦＲＲの下端を当接することが可能な台座６０を備えた構成である。また、例えば、図１０（ｂ）は、ディスプレイカバー２ａの底部に、眼鏡フレームＦのパッドを載置することが可能な台座６１を備えた構成である。このように、例えば、眼鏡フレームＦをより安定に設置できるような台座を予め備えたディスプレイカバーを使用してもよい。もちろん、これらの台座は取り外しが可能な構成であってもよい。あるいは、例えば、眼鏡フレームＦの左右リムやパッドを当接可能な台座を、必要に応じて使用可能な状態にする構成でもよい。この場合、例えば、図１０（ｃ）のように、眼鏡フレームＦの左右リムやパッドを当接するための台座がレンズメータ１に取り付けられた構成が挙げられる。例えば、検者は、左右レンズＬＥに付与された印点間の距離を測定するときにのみ、このような台座を矢印の方向にスライドさせる。眼鏡フレームＦを、テンプル調整ユニット１０と、上記の台座等との両方によって保持すれば、眼鏡フレームＦをレンズメータ１により安定に設置することができる。
【００９１】
なお、本実施例においては、眼鏡フレームＦの下端がディスプレイ２の下方、眼鏡フレームＦの上端がディスプレイ２の上方、眼鏡フレームＦの左右のテンプルがディスプレイの背面側に配置されたテンプル調整ユニット１０に配置される構成を例に挙げて説明したがこれに限定されない。眼鏡フレームＦの設置方向は、本実施例とは異なっていてもよい。例えば、眼鏡フレームＦの下端がディスプレイ２の上方、眼鏡フレームＦの上端がディスプレイ２の下方、眼鏡フレームＦの左右のテンプルがディスプレイ２の背面側に配置されたテンプル調整ユニット１０に配置される構成であってもよい。また、例えば、眼鏡フレームＦの下端がディスプレイ２の下方（又は上方）、眼鏡フレームＦの上端がディスプレイ２の上方（又は下方）、眼鏡フレームＦの左右のテンプルがディスプレイ２の前面側に配置されたテンプル調整ユニット１０に配置される（テンプルが検者側に向くように配置される）構成であってもよい。
【００９２】
なお、本実施例において、テンプル調整ユニットを前面側に設ける場合に、ディスプレイ２の表示画面のレイアウトを変更できるとより好ましい。この場合、例えば、レンズメータ１としては、レイアウト変更スイッチを備える構成が挙げられる。レイアウト変更スイッチは、ディスプレイ２の表示画面におけるレイアウトを変更する変更信号を入力するために用いる。例えば、検者がレイアウト変更スイッチを選択すると、レイアウト変更スイッチから変更信号が送信される。例えば、制御部３０は、受信した変更信号に基づいて、ディスプレイ２の表示画面におけるレイアウトを変更する。例えば、ディスプレイ２の表示画面におけるレイアウト変更としては、制御部３０が、スケール４０、ＰＤ基準指標移動スイッチ５３、ＰＤ基準線５４Ｌ及び５４Ｒ等の裏表を一体的に反転させる。これによって、眼鏡フレームＦの設置方向にかかわらず、検者は、左レンズＬＥ側に左側ＰＤ基準線５４Ｌを合わせ、右レンズＬＥ側に右側ＰＤ基準線５４Ｒを合わせることができる。
【００９３】
より詳細には、例えば、テンプル調整ユニット１０に、左右テンプルがレンズメータ１の奥方向に向き、左右リムの下端がディスプレイ２の上方を向く方向で眼鏡フレームＦを設置した場合、左レンズＬＥ側に右側ＰＤ基準線５４Ｒを、右レンズＬＥ側に左側ＰＤ基準線５４Ｌを合わせなければならない。この状態では、左レンズＬＥの片眼ＰＤと、右レンズＬＥの片眼ＰＤと、を読み間違える等の誤操作を招く可能性がある。このため、検者は、レイアウト変更スイッチを選択し、ディスプレイ２の画面上に表示されたスケール４０等の裏表を反転させる。これによって、左レンズＬＥ側に左側ＰＤ基準線５４Ｌが表示され、右レンズＬＥ側に右側ＰＤ基準線５４Ｒが表示されるようになる。このように、ディスプレイ２の表示画面において、レイアウトを変更する構成を備えたレンズメータであれば、検者の誤操作を防ぐことが可能である。なお、例えば、ディスプレイ２における表示画面のレイアウト変更は、上記のように、検者がレイアウト変更スイッチ等を操作することによって行われる構成であってもよい。また、例えば、ディスプレイ２における表示画面のレイアウト変更は、レンズメータ１が、眼鏡フレームＦの設置方向を検知して自動的に行われる構成であってもよい。
【００９４】
なお、本実施例では、左右のレンズＬＥの光学中心に印点を付与し、スケール４０を利用して（基準線に基づいて）ＰＤを測定しているがこれに限定されない。例えば、ＰＤの測定方法としては、検者が、スケール４０の縦線４１と、縦線４１の上方及び下方に表示された距離数値を参照してＰＤを読み取るようにしてもよい。この場合、例えば、検者は、縦線４１の下方に表示された距離数値を用いて、左右レンズＬＥに付与されたそれぞれの印点位置を読み取る。あるいは、例えば、縦線４１の上方に表示された距離数値を用いて、左右のレンズＬＥに付与されたそれぞれの印点位置を読み取る。このようにして、検者は、左右のレンズＬＥのＰＤを取得することができる。
【００９５】
また、例えば、ＰＤの測定方法としては、印点を自動的に読み取ることによって、ＰＤを算出する構成としてもよい。この場合、例えば、検者は、印点を付与したレンズＬＥが取り付けられた眼鏡フレームＦを、テンプル調整ユニット１０に設置する。次いで、例えば、当接部１３間の幅を調整することによって、眼鏡フレームＦにおけるテンプル間の距離を、眼鏡装用状態の距離に合わせる。例えば、制御部３０は、上記の状態において、左右のレンズＬＥの画像を解析することによって、左右の印点をそれぞれ検出し、検出した左右の印点間の距離を算出することによって、ＰＤを測定してもよい。なお、例えば、レンズＬＥの画像を取得する構成としては、測定光学系２０によって取得するようにしてもよい。この場合、例えば、テンプル調整ユニット１０は、ノーズピース４の下部に配置される構成であってもよい。また、例えば、レンズＬＥの画像を取得する構成としては、別途、撮影光学系を設けるようにしてもよい。
【００９６】
また、例えば、ＰＤの測定方法としては、レンズメータ１の測定光学系２０によって、左右のレンズＬＥの光学中心を検出し、左右の光学中心間の距離を算出することによって、ＰＤを測定するようにしてもよい。この場合、例えば、制御部３０は、測定光学系２０によって、左右のレンズＬＥの光学中心を検出する。より詳細に説明すると、例えば、眼鏡フレーム入りレンズＬＥの光学特性を測定する場合には、眼鏡フレームＦの左右リムの下端がレンズテーブル６に当接し、左右テンプルが下方向を向くように、眼鏡フレームＦをノーズピース４上に載置する。この場合、例えば、テンプル調整ユニット１０は、ノーズピース４の下部に配置される構成であってもよい。このような構成を備えるレンズメータであれば、フレーム形状を眼鏡装用状態に変形させた状態で、レンズＬＥの光学特性を得ることができ、光学中心の位置を検出することが可能である。なお、例えば、レンズＬＥが有する光学中心の位置を検出する際には、検者がレンズＬＥを移動（アライメント）することによって光学中心を検出する構成でもよいし、自動的にレンズＬＥと測定光学系１０の相対位置を調整して光学中心を検出する構成でもよい。例えば、制御部３０は、左右レンズＬＥの光学中心の位置を検出すると、それぞれの光学中心の位置関係に基づいてＰＤを求める。例えば、左側レンズの光学中心位置と、右側レンズの光学中心位置までの距離を算出する。
【００９７】
なお、本実施例においては、テンプル調整手段と、ＰＤ測定手段と、を備えるレンズメータを例に挙げて説明したがこれに限定されない。本開示の技術は、テンプル調整手段と、ＰＤ測定手段と、を備える装置であれば適用可能である。例えば、ディスプレイを備え、眼鏡フレームのＰＤを測定する眼鏡測定装置であって、眼鏡フレームを保持する保持手段であって、眼鏡フレームの左右のテンプルの少なくとも一方に当接し、左右のテンプルの少なくとも一方のテンプルの位置を移動させることによって、左右のテンプルの間の幅を変更させる保持手段と、眼鏡フレームのＰＤを測定するためのスケールをディスプレイの画面に表示させるＰＤ測定手段と、を備える装置であってもよい。なお、例えば、ＰＤを測定するためのスケールとしては、眼鏡フレームに取り付けられた左レンズ及び右レンズのレンズ面上に付された印点の左右方向の位置を検者が目視で読み取るためのスケールであってもよい。また、異なる構成のスケールであってもよい。
【００９８】
なお、本開示における技術は、本実施例におけるレンズメータにおいて適用する場合に限定されない。例えば、本実施例におけるレンズメータの測定光学系には、位相差方式によって光学特性を測定するような測定光学系を適用することもできる。また、例えば、本実施例におけるレンズメータの測定光学系には、レンズＬＥの広い範囲に亘って光学特性を測定するような測定光学系を適用することもできる（例えば、特表２００２−５３４６６５号公報参照）。
【符号の説明】
【００９９】
１  レンズメータ
２  ディスプレイ
１０  テンプル調整ユニット
１１  回転ノブ
１３  移動部
１４  当接部
３０  制御部
３１  メモリ
４０  スケール
【図１】
2018009942.tif 000003
【図２】
2018009942.tif 000004
【図３】
2018009942.tif 000005
【図４】
2018009942.tif 000006
【図５】
2018009942.tif 000007
【図６】
2018009942.tif 000008
【図７】
2018009942.tif 000009
【図８】
2018009942.tif 000010
【図９】
2018009942.tif 000011
【図１０】
2018009942.tif 000012